(57)【特許請求の範囲】
【請求項１】
貯湯槽と、
その貯湯槽に水道水を送り込む給水経路と、
その貯湯槽から流出した温水が通過する温水経路と、
前記給水経路から分岐して前記温水経路に合流する混合水経路と、
前記混合水経路が合流する前の前記温水経路の流量と前記混合水経路の流量との比率を調整する混合比調整器と、
前記混合水経路に挿入されており、給水経路の圧力が温水経路の圧力よりも高い場合にはその圧力差によって給水経路から温水経路に向かう水流を許容し、温水経路から給水経路に向かう水流を阻止する第１逆止弁と、
前記混合水経路が分岐した後の前記給水経路に挿入されており、給水経路の圧力が貯湯槽の圧力よりも高い場合にはその圧力差によって給水経路から貯湯槽に向かう水流を許容し、貯湯槽から給水経路に向かう水流を阻止する第２逆止弁と、
前記混合水経路が分岐した後の給水経路または前記混合水経路が合流する前の温水経路を開閉する開閉弁と、
前記混合水経路が合流した後の前記温水経路に取り付けられている合流後サーミスタを備えており、
第１逆止弁が給水経路から温水経路に向かう水流を許容し始める時の圧力差が、第２逆止弁が給水経路から貯湯槽に向かう水流を許容し始める時の圧力差よりも低く設定されており、
前記合流後サーミスタが給湯設定温度よりも高い温度を検出した場合に、前記開閉弁を閉じることを特徴とする給湯システム。
【発明の詳細な説明】
【技術分野】
【０００１】
本発明は、給湯システムに関する。
【背景技術】
【０００２】
特許文献１に開示されている給湯システムは、発電ユニットと貯湯槽と給水経路と温水経路と混合水経路と混合比調整器を備えている。この給湯システムでは、発電ユニットと貯湯槽が循環経路で接続されており、発電ユニットの発電熱によって加熱された温水が貯湯槽に貯湯される。温水経路が貯湯槽と温水利用箇所の間を伸びており、貯湯槽から流出した温水を温水利用箇所に導く。給水経路は水道管と貯湯槽を接続しており、貯湯槽に水道水を送り込む。混合水経路は、給水経路から分岐して温水経路に合流している。混合比調整器は、混合水経路が合流する前の温水経路の流量と混合水経路の流量との比率を調整し、混合水経路が合流した後の温水経路を流れる温水の温度を調整する。温度調整された温水が温水利用箇所に給湯される。
【０００３】
水道は断水することがあり、水道管の圧力が低下することがある。このときに、貯湯槽から水道管に逆流することを阻止する必要がある。また、温水経路から混合水経路を経て水道管に逆流することを阻止する必要もある。温水経路から水道管に逆流することを阻止するために、混合水経路に逆止弁（本明細書では第１逆止弁という）が挿入されており、貯湯槽から水道管に逆流することを阻止するために、混合水経路が分岐した後の給水経路にも逆止弁（本明細書では第２逆止弁という）が挿入されている。
【先行技術文献】
【特許文献】
【０００４】
【特許文献１】特開２００９−２１６３５２号公報
【発明の概要】
【発明が解決しようとする課題】
【０００５】
混合水経路に挿入されている第１逆止弁は、温水経路の圧力が給水経路の圧力よりも高い場合に温水経路から給水経路に向かう水流を阻止する。その一方において、給水経路の圧力が温水経路の圧力よりも高い場合には弁が開いて給水経路から温水経路に向かう水流を許容する（以下では順方向に開いて順方向の水流を許容するという）。しかしながら、給水経路の圧力が温水経路の圧力よりも高いにもかかわらずに弁が閉じた状態を維持し、給水経路から温水経路に向かう水流まで阻止してしまう事態が発生することがある。
第１逆止弁が給水経路から温水経路に向かう水流まで阻止してしまうと、貯湯槽から送り出された温水に混合して温度を低下させる水道水が得られないことになり、予定外に高温な温水が出湯してしまうことがある。
【０００６】
本発明は、こうした実情に鑑みてなされたものであり、その目的は、第１逆止弁が給水経路から温水経路に向かう水流まで阻止してしまうことを防止するとともに、第１逆止弁の異常時に予定外に高温の温水が出湯する事態の発生を防止することにある。
【課題を解決するための手段】
【０００７】
本発明の給湯システムは、貯湯槽と、貯湯槽に水道水を送り込む給水経路と、貯湯槽から流出した温水が通過する温水経路と、給水経路から分岐して温水経路に合流する混合水経路と、混合水経路が合流する前の温水経路の流量と混合水経路の流量との比率を調整する混合比調整器を備えている。混合水経路に第１逆止弁が挿入されており、第１逆止弁は、給水経路の圧力が温水経路の圧力よりも高い場合にはその圧力差によって給水経路から温水経路に向かう水流を許容し、その一方において、温水経路から給水経路に向かう水流を阻止する。混合水経路が分岐した後の給水経路に第２逆止弁が挿入されており、第２逆止弁は、給水経路の圧力が貯湯槽の圧力よりも高い場合にはその圧力差によって給水経路から貯湯槽に向かう水流を許容し、その一方において、貯湯槽から給水経路に向かう水流を阻止する。第１逆止弁が給水経路から温水経路に向かう水流を許容し始める時の圧力差が、第２逆止弁が給水経路から貯湯槽に向かう水流を許容し始める時の圧力差よりも低く設定されている。
本発明の給湯システムでは、さらに、混合水経路が分岐した後の給水経路または混合水経路が合流する前の温水経路を開閉する開閉弁と、混合水経路が合流した後の温水経路に配置されている合流後サーミスタを備えており、合流後サーミスタが給湯設定温度より高い温度を検出した場合には、前記開閉弁を利用して混合水経路が分岐した後の給水経路または混合水経路が合流する前の温水経路を閉じる。
【０００８】
上記の場合、第２逆止弁が順方向の水流を許容し、給水経路から貯湯槽に水道水が流れ込んで貯湯槽から温水が流出する場合には、それに先立って、第１逆止弁が順方向の水流を許容する状態となっており、温水に混合する水道水の流れが確保される。貯湯槽から流出した温水に混合して温度を低下させる水道水が得られないという事態が生じにくい。
第１逆止弁が順方向の水流まで阻止してしまう作動不良が発生することがないとはいえないが、その場合、第２逆止弁の方が第１逆止弁よりも順方向の水流を許容しづらい特性を持っていることから、第２逆止弁の方が先に順方向の水流まで阻止してしまう作動不良となってしまう可能性が高い。この場合、温水に混合して温度を低下させる水道水が得られないという事態が生じるのに先立って、温水が出湯しないという事態が生じる。故障によって給湯システムが利用できなるものの、予定外に高温な温水が出湯してしまうことはない。
それらの対策に加え、混合水経路が合流した後の温水経路を流れる温水の温度を検出する合流後サーミスタが給湯設定温度より高い温度を検出した場合には、混合比調整器によって混合して調温する機能が損なわれたことが判別できるので、それが検出された場合には、混合水経路が分岐した後の給水経路または混合水経路が合流する前の温水経路を閉じる。混合水経路が分岐した後の給水経路または混合水経路が合流する前の温水経路を閉じれば、予定外に高温の温水が出湯する事態の発生を防止するができる。
【発明の効果】
【０００９】
本発明の給湯システムによれば、逆止弁に作動不良が生じても、予定外に高温な温水が出湯してしまうという事態の発生を防止することができる。
【図面の簡単な説明】
【００１０】
【図１】実施例１の給湯システムの系統図。
【図２】実施例２の給湯システムの系統図。
【図３】実施例３の給湯システムの系統図。
【図４】実施例４の給湯システムの系統図。
【図５】逆止弁の模式的断面図。
【発明を実施するための形態】
【００１１】
以下に説明する実施例の技術的特徴を記載する。
（特徴１）第１開閉弁は電磁弁であり、第２開閉弁も電磁弁である。
（特徴２）第１開閉弁は温水流量サーボであり、第２開閉弁は混合水流量サーボである。
（特徴３）第１開閉弁と第２開閉弁で、混合比調整器と構成する
（特徴４）混合比を調整する分配サーボが、第１開閉弁と第２開閉弁の機能を併せ持つ。
【実施例１】
【００１２】
本発明の給湯システムを具現化した実施例を、図１を参照して説明する。図１は給湯システム６８の系統図であり、貯湯槽１６と、貯湯槽１６に水道水を送り込む給水経路１２と、貯湯槽１６から流出した温水が通過する温水経路２６と、給水経路１２から分岐して温水経路２６に合流する混合水経路２０を備えている。給水経路１２は、混合水経路２０が分岐する前の分岐前給水経路１２ａと、混合水経路２０が分岐した後の分岐後給水経路１２ｂを備えている。温水経路２６は、混合水経路２０が合流する前の合流前温水経路２６ａと、混合水経路２０が合流した後の合流後温水経路２６ｂを備えている。
【００１３】
給水経路１２と混合水経路２０の分岐点に分配サーボ７０が設けられている。分配サーボ７０は、分岐前給水経路１２ａの流量を、分岐後給水経路１２ｂの流量（貯湯槽１６からの温水流出流量に等しい）と、混合水経路２０の流量に分配するとともに、その分配比を調整する。すなわち、分配サーボ７０は、分岐前給水経路１２ａを流れる水道水の全量を分岐後給水経路１２ｂに流す状態から、分岐前給水経路１２ａを流れる水道水の全量を混合水経路２０に流す状態の間で、分配比を調整する。分岐後流水経路１２ｂの流量は、貯湯槽１６からの温水流出流量に等しいことから、分配比は、合流前温水経路２６ａを流れる温水量と混合水経路２０を流れる水道水量の比、すなわち、混合比に等しい。
【００１４】
給水経路１２は、水道管との接続口２と貯湯槽１６の底部を接続しており、接続口２の側から順に、減圧弁４、水道水サーミスタ６、水道水流量センサ８、水道水流量サーボ１０、分配サーボ７０、第２逆止弁１４の順に挿入されている。減圧弁４は、給水経路１２よりも下流の水圧を一定に保つ。その一定水圧は水道水の圧力よりも低く、貯湯槽１６の耐圧よりも低い。減圧弁４は、給湯栓３２等から出湯して給水経路１２の圧力が低下すると、給水経路１２に水道水を導入して給水経路１２よりも下流の水圧を一定に保つ。水道水サーミスタ６は水道水の温度を検出する。水道水流量センサ８は、分岐前給水経路１２ａを通過する水道水の流量を検出する。水道水流量サーボ１０は、分岐前給水経路１２ａを通過する水道水の流量を調整する。第２逆止弁１４は、貯湯槽１６から給水経路１２に向かう水流を阻止する一方において、給水経路１２の圧力が貯湯槽１６の圧力よりも高く、その圧力差が基準値を超えると、給水経路１２から貯湯槽１６に水道水が流れるのを許容する。
【００１５】
混合水経路２０は、水道水流量サーボ１０と第２逆止弁１４の間に配置されている分配サーボ７０によって給水経路１２から分岐している。第２逆止弁１４は、分岐後給水経路１２ｂに配置されている。第２逆止弁１４では、混合水経路２０から分岐前給水経路１２ａに向かう水流を阻止できない。水道水流量センサ８は、分岐前給水経路１２ａに配置されており、貯湯槽１６に流入する水道水流量（貯湯槽１６から流出する温水流量に等しい）と混合水経路２０を流れる混合用水道水の流量の和を計測する。水道水流量サーボ１０は、分岐前給水経路１２ａに配置されており、貯湯槽１６に流入する水道水流量（貯湯槽１６から流出する温水流量に等しい）と混合水経路２０を流れる混合用水道水の流量の和を制御する。
【００１６】
貯湯槽１６には、貯湯槽１６の底部から水を吸い出して貯湯槽１６の上部に戻す循環経路５６が接続されている。循環経路５６には、循環ポンプ５４、熱交換器５８、戻りサーミスタ６０、電磁駆動三方弁６２が挿入されている。熱交換器５８は、熱媒経路５８ｂを流れる高温の熱媒で、貯湯槽１６の底部から吸い出された水を加熱する。熱媒経路５８ｂを流れる熱媒は、図示しない発電ユニットの発電熱で加熱されている。発電ユニットに代えて、ヒートポンプユニットまたは太陽熱利用ユニットで熱媒を加熱してもよい。加熱された熱媒は、入り口５８ｃから熱交換器５８に入り、熱媒経路５８ｂを通過し、出口５８ｄから発電ユニット等に戻って再加熱される。貯湯槽１６の底部から吸い出された水は、熱交換器５８内の水経路５８ａを通過するうちに加熱され、加熱された温水が貯湯槽１６の上部に戻される。貯湯槽１６では、冷水層の上部に高温層が積層した温度成層が形成される。貯湯槽１６に高温の温水が戻され続けると、高温層の厚さ（深さ）は次第に大きくなり、フルに蓄熱された状態では、貯湯槽１６の全体に高温の温水が貯まった状態になる。貯湯槽１６にフルに蓄熱が行われていなくても、温度成層が形成されることにより、貯湯槽１６の上部に貯湯されている高温の温水が温水経路２６に送り出される。
【００１７】
電磁駆動三方弁６２は、熱交換器５８を通過した温水を貯湯槽１６の上部に戻すか、あるいはバイパス経路６４を使って熱交換器５８の入り口に戻すかを切り換える。戻りサーミスタ６０の温度が基準値以上であれば、熱交換器５８を通過した温水を貯湯槽１６の上部に戻す。戻りサーミスタ６０の温度が基準値未満であれば、熱交換器５８を通過した温水を熱交換器５８に戻す。
【００１８】
貯湯槽１６の上部に温水経路２６が接続されており、給湯栓３２まで伸びている。給湯栓３２は、浴室、洗面所、台所等に配置されている（図１では、これら複数の給湯栓３２を１つで代表している）。温水経路２６には、第１電磁弁２７（第１開閉弁の実施例）、合流前サーミスタ２８と、合流後サーミスタ３０が取り付けられている。混合水経路２０が、合流前サーミスタ２８と合流後サーミスタ３０の間で温水経路２６に合流している。
第１電磁弁２７と合流前サーミスタ２８は、合流前温水経路２６ａに配置されており、合流後サーミスタ３０は、合流後温水経路２６ｂに配置されている。第１電磁弁２７は、合流前温水経路２６ａを水流が流れられる状態と流れられない状態の間を高速に切り換える。
【００１９】
混合水経路２０は、分配サーボ７０によって給水経路１２から分岐し、温水経路２６に合流している。混合水経路２０には、第２電磁弁１７（第２開閉弁の実施例）と第１逆止弁２２が挿入されている。第２電磁弁１７は、混合水経路２０を水流が流れられる状態と流れられない状態の間を高速に切り換える。第１逆止弁２２は、温水経路２６から給水経路１２に向かう水流を阻止する一方において、給水経路１２の圧力が温水経路２６の圧力よりも高く、その圧力差が基準値を超えると、給水経路１２から温水経路２６に水道水が流れるのを許容する。給水経路１２から温水経路２６に水道水が流れると、貯湯槽１６から流出した高温の温水と低温の水道水が混合され、温度調整される。合流前温水経路２６ａの流量と混合水経路２０の流量との比率を調整することによって、合流後温水経路２６ｂを流れる温水の温度を調整することができる。分配サーボ７０によって、分岐後給水経路１２ｂの流量（合流前温水経路２６ａの流量に等しい）と混合水経路２０の流量との比率を調整することができ、合流後温水経路２６ｂを流れる温水の温度を調整することができる。
【００２０】
給湯システムは、コントローラ６６を備えており、給湯栓３２に送る温水の温度を設定温度に調整する。コントローラ６６は、サーミスタと流量センサ等の検出値を入力し、サーボや電磁弁等を制御する。例えば、コントローラ６６は、水道水サーミスタ４で検出される水道水温度と、合流前サーミスタ２８で検出される合流前温水温度と、コントローラ６６に設定されている給湯設定温度とから、分配サーボ７０の分配比を計算し、分配サーボ７０の分配比を計算された分配比に調整する。それによって、給湯設定温度に調整された温水を給湯栓３２から給湯する。また、コントローラ６６は、第１電磁弁２７と第２電磁弁１７の開閉を制御する。
【００２１】
必要温度に調整された温水を浴槽４０に給湯することもできる。合流後温水経路２６ｂから湯張り経路３６が分岐している。湯張り経路３６には、湯張り弁３４と、湯張り流量センサ３８が配置されている。湯張り経路３６は浴槽水循環経路４６に接続されている。浴槽水循環経路４６は、浴槽４０から伸びて浴槽４０に戻っている。浴槽水循環経路４６には、風呂ポンプ４２、水流センサ４４、第１サーミスタ４８、熱交換器５０、第２サーミスタ５２が配置されている。
【００２２】
浴槽４０に湯張りする場合、湯張り弁３４が開けられる。すると、必要温度に調整された温水が湯張り経路３６を流れ、図示の破線の矢印に示すように浴槽水循環経路４６を流れ、浴槽４０に温水が送られる。設定された水量または水位に到達すると、湯張り弁３４が閉じられる。
【００２３】
浴槽水の温度が低下すると、風呂ポンプ４２が回転する。すると、図示の実線の矢印に示すように浴槽水循環経路４６を浴槽水が循環する。循環する浴槽水は熱交換器５０を通過する。熱交換器５０は、熱媒経路５０ｂを流れる高温の熱媒で、浴槽水循環経路４６を循環する浴槽水を加熱する。熱媒経路５８ｂを流れる熱媒は、図示しない熱源で加熱されている。その熱源には、貯湯層１６の温水、発電ユニット、ヒートポンプユニット、太陽熱利用ユニット、あるいは燃焼式加熱器が利用される。図示しない熱源で加熱された熱媒は、入り口５０ｃから熱交換器５０に入り、熱媒経路５０ｂを通過し、出口５０ｄから熱源に戻って再加熱される。浴槽水の温度が低下すると追い焚きされ、浴槽水が設定温度に戻される。
【００２４】
図示の例では、合流後温水経路２６ｂに補助熱源機が配置されていないが、合流後温水経路２６ｂに補助熱原機を配置してもよい。湯張り経路３６が分岐する前の合流後温水経路２６ｂに燃焼式加熱器等の補助熱原機を配置すれば、貯湯槽１６に貯湯しておいた温水を消費しつくした後も、給湯を続けることができる。
【００２５】
第１逆止弁２２と第２逆止弁１４には、水に溶けていた成分が析出して付着することがある。その結果、順方向への水流を引き起こす圧力差が加わっているのにもかかわらず、第１逆止弁２２と第２逆止弁１４が開かない動作不良が生じる可能性がある。仮に第１逆止弁２２に動作不良が生じると、混合用水道水が流れなくなり、混合用水道水を混合することで調温する機能が損なわれ、給湯設定温度以上の温水が給湯栓３２から出湯する可能性がある。
【００２６】
図５は、逆止弁の模式的断面を示し、ポートＡからポートＢに向かう水流を阻止する。ポートＢ側の圧力がポートＡ側よりも高くなり、その圧力差がばね７４の力を上回ると、弁７６が上方に変位して弁座７８から離れる。その結果、ポートＢからポートＡに向かう（この向きを順方向という）水流が流れはじめる。ばね７４の力や、弁７６の受圧面積Ｓを調整することによって、逆止弁７２が順方向の水流を許容し始める時の圧力を調整することができる。
【００２７】
本実施例では、順方向への圧力差が加わったときに、第２逆止弁１４よりも開きやすい特性を持つ弁が第１逆止弁２２に利用されている。すなわち、給湯栓３２を開いて給湯を開始すると、第２逆止弁１４よりも第１逆止弁２２の方が、順方向の水流を先に許容する関係に設定されている。その結果、温水に混合して温度を下げる水道水が得られない状態で出湯することがない。
【００２８】
また、第１逆止弁２２よりも第２逆止弁１４の方が順方向に開きにくく、順方向に開かないという動作不良を起こるとすれば、第２逆止弁１４の方が先に動作不良となる可能性が高く設定されている。その結果、第１逆止弁２２の動作不良によって給湯栓３２から高温の温水が出湯する事態の発生が防止される。
【００２９】
なお、上記の対策にもかかわらず第１逆止弁２２のみが動作不良となる可能性が絶無ではない。本実施例では、合流後サーミスタ３０によって混合して調温する機能が損なわれたことが判別できるので、それが検出された場合には、第１電磁弁２７を閉じる。それに加えて、分配サーボ７０を、分岐前給水経路１２ａを流れる水道水の全量を混合水経路２０に流す状態に切り換えてもよい。給湯栓３２から高温の温水が出湯することがないように２重３重の対策が講じられている。本技術は、第２逆止弁１４よりも順方向に開きやすい特性を持つ第１逆止弁２２を利用することで、不具合の発生を防止する一つの対策であり、それのみで対策するものではない。
【００３０】
本実施例では、湯張り弁３４が開かれて水道水流量センサ８が流量を検出すると、コントローラ６６が、第１電磁弁２７を開き、分配サーボ７０の分配比を調整する。なお、第２電磁弁１７は通常時には開いている。本実施例では、湯張り設定温度に調温された温水が浴槽４０に供給され始めた段階で、第１電磁弁２７を短時間だけ閉じ、ついで第２電磁弁１７を短時間だけ閉じる。その処理手順を実施するプログラムがコントローラ６６に記憶されている。
【００３１】
湯張り運転の途中で第１電磁弁２７（第１開閉弁）を閉じると、湯張り経路３６を流れている温水はその慣性エネルギーによって流れ続け、第１逆止弁２２の温水経路２６側の圧力が低下する。この結果、第１逆止弁２２が順方向に開かないという動作不良が生じていても、第１逆止弁２２に大きな圧力差を作用させることによって第１逆止弁２２を開かせることができる。第１逆止弁２２が開けば、第１電磁弁２７が閉じられているために、混合水経路２０を大流量の水道水が流れる。この結果、第１逆止弁２２が順方向に大きく開く。大きく開いた第１逆止弁２２を大流量の水道水が通過することによって、第１逆止弁２２に付着していた異物等が除去される。湯張り運転の途中で第１電磁弁２７を閉じることで、第１逆止弁２２が清掃される。第１電磁弁２７を閉じると、貯湯槽１６から温水が出湯されず、給湯温度が低下する。湯張り運転の途中であれば、一時的に低温の水が浴槽４０に給湯されても問題はない。湯張り運転の際には、第１逆止弁２２に動作不良が生じているか否かと無関係に第１電磁弁２７を一時的に閉じる。これによって、湯張り運転中に第１逆止弁２２が清掃される。
【００３２】
湯張り運転の途中で第１電磁弁２７を一時的に閉じた後に、第２電磁弁１７（第２開閉弁）を一時的に閉じる。第２電磁弁１７を閉じると、湯張り経路３６を流れている温水はその慣性エネルギーによって流れ続け、第２逆止弁１４の貯湯槽１６側の圧力が低下する。この結果、第２逆止弁１４が順方向に開かないという動作不良が生じていても、第２逆止弁１４に大きな圧力差を作用させることによって第２逆止弁１４を開かせることができる。第２逆止弁１４が開けば、第２電磁弁１７が閉じられているために、分岐後給水経路１２ｂを大流量の水道水が流れる。この結果、第２逆止弁１４が順方向に大きく開く。大きく開いた第２逆止弁１４を大流量の水道水が通過することによって、第２逆止弁１４に付着していた異物等が除去される。湯張り運転の途中で第２電磁弁１７を閉じることで、第２逆止弁１４が清掃される。第２電磁弁１７を閉じると、給湯温度が上昇する。湯張り運転の途中であれば、一時的に高温の水が浴槽４０に給湯されても問題はない。湯張り運転の際には、第２逆止弁１４に動作不良が生じているか否かと無関係に第２電磁弁１７を一時的に閉じる。これによって、湯張り運転中に第２逆止弁１４が清掃される。
【００３３】
第１電磁弁２７を閉じたり、第２電磁弁１７を閉じたりすれば、合流後温水経路２６ｂを流れる合流後温水の温度は不安定となる。湯張り運転の場合、浴槽に一定量の浴槽水が貯められた後に加熱して適温に調整することから、合流後温水経路２６ｂを流れる合流後温水の温度が一時的に不安定となってもかまわない。
【００３４】
本実施例では、第１電磁弁２７（第１開閉弁）を閉じることで第１逆止弁２２を清掃することと、第２逆止弁１４よりも順方向に開きやすい特性を持つ弁を第１逆止弁２２に利用することによって、第１逆止弁２２が順方向に開かないという事態の発生を防止している。
【００３５】
本実施例では、給湯栓３２が開かれて水道水流量センサ８が流量を検出すると、コントローラ６６が、第１電磁弁２７を開き、分配サーボ７０の分配比を調整する。なお、第２電磁弁１７は通常時には開いている。第１逆止弁２２が順方向に開かないという動作不良が生じれば、合流後サーミスタ３０が設定温度よりも高い温度を検出する。その場合、設定温度よりも高い温水が給湯されることを防止するために、短時間だけ第１電磁弁２７を閉じる。その処理手順を実施するプログラムがコントローラ６６に記憶されている。第１電磁弁２７を全閉しても、温水経路２６の温水は、その慣性エネルギーによって流れ続け、第１逆止弁２２の温水経路２６側の圧力が低下する。この結果、第１逆止弁２２が順方向に開かないという動作不良が生じていても、第１逆止弁２２に大きな圧力差を作用させることによって第１逆止弁２２を開かせることができる。短時間だけ第１電磁弁２７を閉じた後に再び開ける。再び開けた後に合流後サーミスタ３０が設定温度を検出すれば、第１逆止弁２２の動作不良が解消した判断することができ、給湯運転を継続することができる。第１電磁弁２７を再び開けた後に合流後サーミスタ３０が設定温度以上の温度を検出すれば、第１逆止弁２２の動作不良が解消していないと判断することができる。この場合は第１電磁弁２７を閉じ、給湯運転を中止する。
上記の実施例では、第１電磁弁２７を合流前温水経路２６ａに挿入している。合流前温水経路２６ａの流量と、分岐後給水経路１２ｂの流量は等しいことから、第１電磁弁２７を分岐後給水経路１２ｂに挿入してもよい。また分配サーボ７０を、混合水経路２０と温水経路２６の合流点に設けてもよい。
【実施例２】
【００３６】
図２は、実施例２の給湯システムの系統図を示している。実施例１と同等な部材には同一の参照番号を付して重複説明を省略する。実施例２では、分配サーボ７０に代えて、合流前温水経路２６ａに温水流量サーボ２４が挿入されており、混合水経路２０に混合水流量サーボ１８が挿入されている。温水流量サーボ２４は、合流前温水経路２６ａを流れる温水の流量を調整する。混合水流量サーボ１８は、混合水経路２０を流れる混合用水道水の流量を調整する。温水流量サーボ２４と混合水流量サーボ１８の両者によって、合流前温水経路２６ａを流れる温水の流量と混合水経路２０を流れる混合用水道水の流量との比率を調整する混合比調整器が構成されている。
【００３７】
本実施例では、合流前温水経路２６ａに第１電磁弁２７と温水流量サーボ２４を配置している。貯湯槽１６から流出する温水流量は貯湯槽１６に流入する水道水流量に等しい。そこで、第１電磁弁２７を分岐後給水経路１２ｂに挿入してもよい。また、温水流量サーボ２４に代えて、分岐後給水経路１２ｂに水道水流量サーボを挿入してもよい。分岐後給水経路１２ｂに挿入した水道水流量サーボと混合水流量サーボ１８の両者によって、合流前温水経路２６ａを流れる温水の流量と混合水経路２０を流れる混合用水道水の流量との比率を調整する混合比調整器とすることができる。
【００３８】
実施例２でも、第１逆止弁２２と第２逆止弁１４の関係は実施例１に同じである。また湯張り設定温度に調温された温水が浴槽４０に供給され始めた段階で、第１電磁弁２７を閉じて貯湯槽１６からの温水の流出を遮断する。貯湯槽１６からの温水の流出を遮断すると、第１逆止弁２２の温水経路側の圧力が減少して給水経路側の圧力が増大する。第１逆止弁２２に作用する順方向の圧力差が増大する。この結果、第１逆止弁２２に動作不良が生じていても、第１逆止弁２２が順方向に大きく開き、清掃される。
本実施例では、その後に、第２電磁弁１７を閉じて混合水経路２０を流れる混合用水道水の流れを遮断する。混合水経路２０を流れる混合用水道水の流れを遮断すると、第２逆止弁１４の貯湯槽側の圧力が減少して給水経路側の圧力が増大する。第２逆止弁１４に作用する順方向の圧力差が増大する。この結果、第２逆止弁１４に動作不良が生じていても、第２逆止弁１４が順方向に大きく開き、清掃される。
合流後サーミスタ３０が設定温度よりも高い温度を検出する場合には、短時間だけ第１電磁弁２７を閉じ、分岐前給水経路１２ａを流れる水道水の全量を混合水経路２０に流す状態にして貯湯槽１６からの温水の流出を遮断する。これによって第１逆止弁２２に作用する順方向の圧力差が増大する。この結果、第１逆止弁２２に動作不良が生じていても、第１逆止弁２２が順方向に大きく開き、清掃される。この処理によって合流後サーミスタ３０が設定温度を検出すれば、第１逆止弁２２の動作不良が解消した判断することができ、給湯運転を継続することができる。
【実施例３】
【００３９】
実施例３は、図３に示されているように、実施例１から第１電磁弁２７と第２電磁弁１７を除去したものである。この実施例では、分配サーボ７０で分岐前給水経路１２ａを流れる水道水の全量を混合水経路２０に流す状態とすることによって、第１電磁弁２７を閉じたのと同じ状態に切り換える。また分配サーボ７０で分岐前給水経路１２ａを流れる水道水の全量を分岐後給水経路１２ｂと合流前温水経路２６ａに流す状態とすることによって、第２電磁弁１７を閉じたのと同じ状態に切り換える。分配サーボ７０で、分岐後給水経路１２ｂまたは合流前温水経路２６ａを閉じる第１開閉弁と、混合水経路２０を閉じる第２開閉弁を実現している。分配サーボ７０の動作速度が十分であれば、分配サーボ７０と別に電磁弁を設ける必要がない。
【実施例４】
【００４０】
実施例４は、図４に示されているように、実施例２から第１電磁弁２７と第２電磁弁１７を除去したものである。この実施例では、温水流量サーボ２４によって、第１電磁弁２７を閉じたのと同じ結果を得る。また混合水流量サーボ１８で第２電磁弁１７を閉じたのと同じ結果を得る。温水流量サーボ２４が、分岐後給水経路１２ｂまたは合流前温水経路２６ａを閉じる第１開閉弁を兼用し、混合水流量サーボ１８が混合水経路２０を閉じる第２開閉弁を兼用している。温水流量サーボ２４と混合水流量サーボ１８の動作速度が十分であれば、温水流量サーボ２４と混合水流量サーボ１８とは別に電磁弁を設ける必要がない。
（その他の実施例）
【００４１】
図１〜図４の給湯システムは、補助熱源機を備えていない。合流後温水経路２６ｂに補助熱源機を加えてもよい。補助熱源機を追加すれば、貯湯しておいた温水がなくなった後も給湯を続けることができる。図１〜図４の給湯システムは、給湯栓３２と浴槽４０に給湯する。これに加えて暖房システムに給湯する給湯システムであってもよい。
【００４２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４３】
２：接続口
４：減圧弁
６：水道水サーミスタ
８：水道水流量センサ
１０：水道水流量サーボ
１２：給水経路
１２ａ：分岐前給水経路
１２ｂ：分岐後給水経路
１４：第２逆止弁
１６：貯湯槽
１７：第２電磁弁
１８：混合水流量サーボ
２０：混合水経路
２２：第１逆止弁
２４：温水流量サーボ
２６：温水経路
２６ａ：合流前温水経路
２６ｂ：合流後温水経路
２７：第１電磁弁
２８：合流前サーミスタ
３０：合流後サーミスタ
３２：給湯栓
３４：湯張り弁
３６：湯張り経路
３８：湯張り流量センサ
４０：浴槽
４２：風呂ポンプ
４４：水流センサ
４６：浴槽水循環経路
４８：第１サーミスタ
５０：熱交換器
５２：第２サーミスタ
５４：循環ポンプ
５６：循環経路
５８：熱交換器
６０：戻りサーミスタ
６２：電磁駆動三方弁
６４：バイパス経路
６６：コントローラ
６８：給湯システム
７０：分配サーボ
【図１】
0005481259.tif 000002
【図２】
0005481259.tif 000003
【図３】
0005481259.tif 000004
【図４】
0005481259.tif 000005
【図５】
0005481259.tif 000006